(57)【要約】【目的】停電により燃焼停止している間に低下した室温を、停電復旧後の再運転で停電発生前の室温に近い状態まで上昇させた後、停電発生前の運転状態で再運転を行う燃焼制御装置を提供する。【構成】自動運転と手動運転とを行い、停電発生時停電発生前の各種情報を不揮発性記憶手段２０に記憶させて運転を停止し、停電復旧時不揮発性記憶手段２０に記憶させた各種情報により再運転を行う燃焼制御装置に於いて、停電復旧後所定の火力で着火動作して所定時間運転した後、不揮発性記憶手段２０に記憶させた情報により停電前の運転状態で再運転を行うので、停電で冷えた燃焼部２が停電復旧後に再運転した時、燃焼が不安定になることを防止でき、又再運転開始時、火力を大きく又は小さくする場合でも所定の火力から変更するので、火力の変更する段階を少なくすることができ、素早く短時間で変更する火力に変更することができるものである。【選択図】　　　図３
2004020023.tif 000002
【特許請求の範囲】
【請求項１】
設定温度を設定する室温設定スイッチと、設定火力を設定する設定火力切替スイッチと、前記室温設定スイッチを操作して設定した設定温度に室温がなるように燃焼部の運転を行う自動運転と設定火力切替スイッチを操作して設定した設定火力一定で燃焼部の運転を行う手動運転とを切り替える自動・手動切替スイッチとを備えた操作部と、燃料を燃焼させる燃焼部と、停電の発生及び復旧を判定する停電判別部と、運転状態や室温等各種情報を記憶する不揮発性記憶手段と、前記自動運転と手動運転との制御を行い、前記停電判別部が停電発生と判定した時、停電発生前の運転状態や室温等各種情報を不揮発性記憶手段に記憶させて運転を停止し、前記停電判別部が停電復旧と判定した時、不揮発性記憶手段に記憶させた各種情報により再運転を行う制御部とを備えた燃焼制御装置に於いて、前記制御部は、停電復旧後の再運転を所定の火力で着火動作してそのまま所定時間運転した後、不揮発性記憶手段に記憶させた各種情報により停電前の運転が自動運転だった時、停電発生前の設定温度を設定して自動運転で停電復旧後の再運転を行い、停電前の運転が手動運転だった時、停電発生前の設定火力を設定して手動運転で停電復旧後の再運転を行うことを特徴とする燃焼制御装置。
【請求項２】
前記制御部は、停電復旧後の再運転で、中間の火力で着火動作してそのまま所定時間運転後に自動運転又は手動運転を行う時、着火動作した時の中間の火力から火力を変更するのに、中間の火力から変更する火力まで火力の大きさ１段階毎に所定時間運転していくことを特徴とする請求項１記載の燃焼制御装置。
【請求項３】
前記制御部は、停電復旧後の再運転で手動運転を行う時、火力を停電前の設定火力より大きい火力に変更し、その火力から停電前の設定火力まで火力の大きさ１段階毎に所定時間運転していくことを特徴とする請求項１記載の燃焼制御装置。
【発明の詳細な説明】
【０００１】
【発明の属する技術分野】
本発明は、灯油やガスを燃料とした暖房機の燃焼部を制御する燃焼制御装置に関するものである。
【０００２】
【従来の技術】
従来よりこの種のものに於いては、暖房機の燃焼部が燃焼している時に停電が発生すると燃焼が停止し、又それまでの燃焼条件や設定情報が全て消去されて初期状態に戻ってしまうため、停電復帰後に再度設定温度や燃焼火力等を設定し直した上で、暖房機の運転スイッチを再度操作する必要があった。
【０００３】
そこで、例えば特開平１１−３４４２２２号のように、通電時に、暖房動作を行うのに必要な制御プログラムを記憶した制御プログラム記憶手段や、この制御プログラムの動作処理中に作業用領域として記憶される作業用記憶手段に記憶される設定温度、タイマ残時間、エラー情報等各情報を、不揮発性記憶手段に記憶転送し、停電発生後、停電が復旧したら停電発生前に不揮発性記憶手段に記憶させていた情報を、前記作業用記憶手段に転送し、その転送された情報に基づいて暖房動作を開始するものであった。
【０００４】
【発明が解決しようとする課題】
ところで、この従来のものでは、燃焼部を有する暖房機で、暖房能力や火力の設定を手動にて設定する機能を有するものでは、例えば火力を最大火力に手動で設定した状態で運転している時に停電が復旧して自動で再運転が行われる場合、停電前に火力を最大火力に手動で設定した状態だったので、その停電前の情報に基づいて停電復旧後、最大火力で再運転が自動で行われるが、停電していた時間が長いと最大火力で運転していたのを忘れてしまい、停電している間に暖房機正面の間近な位置に何か物を置いたり人が居たりすると、停電が復旧して最大火力で自動で再運転が行われた時、暖房機正面の間近な位置に置いた物が高温になったり、間近な位置にいる人に不快感を与えたりする欠点があった。
【０００５】
又室温が適温な状態の時に、使用者が手動設定で火力を最小火力に設定して手動運転していた時に停電して運転が停止し、しばらく時間が経過してから停電が復旧した場合、停電前に火力を最小火力に手動で設定した状態だったので、その停電前の情報に基づいて停電復旧後、最小火力で再運転が自動で行われるが、停電していた間に室温が低下して寒くなっていても、最小火力で再運転が行われるため、使用者はその寒さに合わせて火力を最小火力から中火力や最大火力に操作し直さなくてはならない欠点があった。
【０００６】
本発明は上記課題を解決し、停電して運転が停止した後、停電が復旧して再運転を行う時、安全性の高い再運転を行うと共に、使用者が火力の再設定せずとも停電前の快適な状態になるように再運転を行う燃焼制御装置を提供するものである。
【０００７】
【課題を解決するための手段】
この発明はこの点に着目し上記課題を解決するため、請求項１では特にその構成を、設定温度を設定する室温設定スイッチと、設定火力を設定する設定火力切替スイッチと、前記室温設定スイッチを操作して設定した設定温度に室温がなるように燃焼部の運転を行う自動運転と設定火力切替スイッチを操作して設定した設定火力一定で燃焼部の運転を行う手動運転とを切り替える自動・手動切替スイッチとを備えた操作部と、燃料を燃焼させる燃焼部と、停電の発生及び復旧を判定する停電判別部と、運転状態や室温等各種情報を記憶する不揮発性記憶手段と、前記自動運転と手動運転との制御を行い、前記停電判別部が停電発生と判定した時、停電発生前の運転状態や室温等各種情報を不揮発性記憶手段に記憶させて運転を停止し、前記停電判別部が停電復旧と判定した時、不揮発性記憶手段に記憶させた各種情報により再運転を行う制御部とを備えた燃焼制御装置に於いて、前記制御部は、停電復旧後の再運転を所定の火力で着火動作してそのまま所定時間運転した後、不揮発性記憶手段に記憶させた各種情報により停電前の運転が自動運転だった時、停電発生前の設定温度を設定して自動運転で停電復旧後の再運転を行い、停電前の運転が手動運転だった時、停電発生前の設定火力を設定して手動運転で停電復旧後の再運転を行うものである。
【０００８】
又本発明の請求項２に係る燃焼制御装置では、特にその構成を、請求項１に於いて、前記制御部は、停電復旧後の再運転で、中間の火力で着火動作してそのまま所定時間運転後に自動運転又は手動運転を行う時、着火動作した時の中間の火力から火力を変更するのに、中間の火力から変更する火力まで火力の大きさ１段階毎に所定時間運転するものである。
【０００９】
又本発明の請求項３に係る燃焼制御装置では、特にその構成を、請求項１に於いて、前記制御部は、停電復旧後の再運転で手動運転を行う時、火力を停電前の設定火力より大きい火力に変更し、その火力から停電前の設定火力まで火力の大きさ１段階毎に所定時間運転するものである。
【００１０】
【発明の実施の形態】
前記構成による請求項１記載の燃焼制御装置によれば、室温設定スイッチ８を操作して室温が設定した設定温度になるように燃焼部の運転を行う自動運転と、設定火力切替スイッチ７を操作して設定した設定火力一定で燃焼部の運転を行う手動運転とを行い、　停電が発生した時、停電発生前の運転状態や室温等各種情報を不揮発性記憶手段２０に記憶させて運転を停止し、停電が復旧した時、不揮発性記憶手段２０に記憶させた各種情報により再運転を行う燃焼制御装置に於いて、停電復旧後の再運転を所定の火力で着火動作してそのまま所定時間運転した後、不揮発性記憶手段２０に記憶させた各種情報により停電前の運転状態で停電復旧後の再運転を行うものである。
【００１１】
これにより停電復旧した後の再運転を開始する時、まず所定の火力で着火動作を行い、その所定の火力で所定時間運転した後に停電前の運転状態で再運転を開始するので、燃焼部２の温度を安定させ、それにより停電中の間に冷えてしまった燃焼装置１の燃焼部２が停電復旧後に再運転した時、燃焼が不安定になることを防止できるものである。
【００１２】
又記憶情報信号の設定温度情報により停電発生前の運転状態を設定して停電復旧した後の再運転を開始する時、停電発生前の運転状態を設定して再運転を開始したことにより燃焼部の火力を変更する際、所定の火力から変更することになるので、火力を大きくする場合でも小さくする場合でも火力の変更する段階を少なくすることができ、火力を素早く短時間で変更する火力に変更することができるものである。
【００１３】
又停電復旧した時の再運転を行うためには、使用者が運転スイッチ５を操作しないと再運転を開始しないような設定の場合でも、使用者が運転スイッチ５を操作した途端、いきなり最大火力の最強火力で再運転を開始することがないので危険がなく、又使用者が突然最強火力運転が開始されたように感じて驚かしてしまうことを防止できるものである。
【００１４】
又前記構成による請求項２記載の燃焼制御装置によれば、請求項１に於いて、停電復旧後の再運転で、中間の火力で着火動作してそのまま所定時間運転後に再運転を行う時、着火動作した時の中間の火力から火力を変更するのに、中間の火力から変更する火力まで火力の大きさ１段階毎に所定時間運転するものである。
【００１５】
これにより、停電復旧後の再運転で、中間の火力で着火動作してそのまま所定時間運転後に、中火力より大きい火力に変更する場合、だんだんと火力が大きくなることで、使用者に暖房が再開されて、室温が上がっていくのを実感させることができるものであり、又中火力より小さい火力に変更する場合、だんだんと火力が小さくなることで、停電発生による室温低下を補正して室温を上昇させ、停電発生前の設定火力である弱火力や最弱火力一定の手動運転になっても、使用者に暖房不足を感じさせないことができるものである。
【００１６】
又前記構成による請求項３記載の燃焼制御装置によれば、停電復旧後の再運転で手動運転を行う時、火力を停電前の設定火力より大きい火力に変更し、その火力から停電前の設定火力まで火力の大きさ１段階毎に所定時間運転するものである。
【００１７】
これにより、停電復旧した後の手動運転による再運転において、停電発生前の設定火力一定の手動運転に入る前に行う所定時間運転の最初の最強火力での所定時間運転で、短時間に一気に温度を上げ、次の強火力での所定時間運転により最強火力の所定時間運転よりも温度の上げ幅を小さくするというように、停電発生による室温低下に対して、所定時間運転の最初で室温を大きく上昇させ、その後上げ幅をだんだん小さくして停電発生前の室温に近づけてから、停電発生前の手動運転の設定火力一定の手動運転に入ることができ、それにより停電発生による室温低下を、短時間にしかも快適に違和感なく補正することができるものである。
【００１８】
又停電発生前の設定火力が大きいほど、停電発生前の室内の熱負荷が大きかったと判断して、停電発生前の設定火力が大きいほど大きい火力での所定時間運転の所定時間を長く設定するようにしたので、停電復旧時の室温低下、熱負荷の大きさに合わせて、各火力での所定時間運転を行うことができ、それにより各火力での所定時間運転により室温が上昇しすぎたり、逆に室温の上昇が足りなかったりすることがなく、停電発生による室温低下を、短時間にしかも快適に違和感なく補正することができるものである。
【００１９】
【実施例】
次に、この発明に係る燃焼制御装置を、図面に示された一実施例で説明する。１は燃焼装置で、該燃焼装置１内に設けた燃焼部２の燃焼運転を行うことにより暖房を行うものである。
【００２０】
３は操作部で、タクト式スイッチからなり燃焼装置１の電源をオン・オフする電源スイッチ４と、タクト式スイッチからなる運転スイッチ５と、設定温度に室温がなるように運転を行う自動運転又は室温に関係なく設定した火力一定で運転を行う手動運転のどちらかを設定する自動・手動運転切替スイッチ６と、手動運転の時の火力を設定する設定火力切替スイッチ７と、自動運転の時の希望する室温を設定する室温設定スイッチ８とを備え、各種スイッチを操作することにより操作信号を出力するものある。
【００２１】
９は表示部で、運転中や運転停止の表示、現在設定されている運転が自動運転又は手動運転かの表示、手動運転時における設定火力の表示、現在の室温の表示、自動運転時における設定温度の表示、異常発生時のエラー表示等入力される表示信号に基づいて表示を行うものである。
【００２２】
１０は気化部で、気化ヒータ１１により所定の温度まで加熱され、気化部温度検知手段１２により気化部１０が所定の温度に達したのを検知した時、燃料ポンプ１３より灯油等の燃料を供給されてそれを気化し、その気化した燃料を燃焼用ファン１４より供給される燃焼用空気と混合して、前記燃焼部２に供給するものである。
【００２３】
１５は着火手段で、前記燃焼部２に供給された混合気に対して着火動作を行うことにより燃焼を開始するもので、炎検知手段１６により燃焼状態や着火の有無を検知するものである。
【００２４】
１７は電源部で、外部商用電源１８と接続され、燃焼装置１内の各部に電源を供給するものである。
【００２５】
１９は停電判別部で、前記電源部１７と接続され、前記電源部１７に外部商用電源１８から電気が供給されているか検知して、電気が供給されていない状態や所定の電圧より低い電圧が供給されている状態が所定時間以上継続した時、停電が発生したものとして停電信号を出力し、停電信号を出力した後、所定の電圧が供給されている状態が所定時間以上継続した時、停電が復旧したものとして停電復旧信号を出力するものである。
【００２６】
２０はＥＥＰＲＯＭからなる不揮発性記憶手段で、手動運転時における設定火力情報、自動運転時における設定温度情報、異常発生時のエラー情報、室内の温度を検知して室温信号を出力する室温検知手段２１により検知された室温情報等、各種制御情報や運転情報が運転時に新しい情報が発生したり変更された時又は所定時間毎に、その都度その情報が入力されて記憶し直すもので、情報出力動作信号が入力されると、その時に記憶されている情報を記憶情報信号として出力するものである。
【００２７】
２２はタイマ手段で、タイマスタート信号が入力されると計時を開始し、タイマストップ信号が入力されると計時を停止すると共に、タイマーリセット信号が入力されない限り前回の計時を開始してから停止するまでの計時した時間を保持しており、タイマチェック信号が入力されると計時した時間が保持されていれば、その保持されている時間を計時信号として出力するものである。
【００２８】
２３はタイマ用電源で、停電等タイマ手段２２に電源が供給されない時に、タイマ手段２２が所定時間まで計時できるようにタイマ手段２２に電源を供給するものである。
【００２９】
２４は送風機で、燃焼部２で燃焼した燃焼ガスに室内空気を混合させて燃焼装置１から室内へ吹き出させるものである。
【００３０】
２５は制御部で、操作部３からの操作信号、気化部温度検知手段１２からの気化部温度信号、炎検知手段１６からの炎検知信号、停電判別部１９からの停電信号、タイマ手段２２からの計時信号等各信号が入力されると共に、表示部９への表示信号、気化ヒータ１１への通電信号、燃焼用ファン１４への動作信号、着火手段１５への着火信号、タイマ手段２２へのタイマスタート信号、タイマストップ信号、タイマーリセット信号、タイマチェック信号等各信号を出力して燃焼装置１の制御を行うものである。
【００３１】
次に本発明一実施例の通常の運転を説明する。
まず燃焼装置１の電源がオフ状態であれば、電源スイッチ４を押して電源オン状態にしてから運転スイッチ５を押し、すでに電源オン状態であれば、次に操作部３の運転スイッチ５を押す。
【００３２】
そして次に使用者が操作部３の自動・手動運転切替スイッチ６を操作して、自動運転・手動運転を切替えた場合、操作部３から制御部２５に自動・手動運転切替スイッチ６の操作信号が出力され、制御部２５はその操作信号にしたがって自動又は手動運転を開始し、更に自動・手動運転切替スイッチ６を自動運転に切り替えた後に室温設定スイッチ８を操作したり、自動・手動運転切替スイッチ６を手動運転に切り替えた後に設定火力切替スイッチ７を操作した場合、室温設定スイッチ８又は設定火力切替スイッチ７の操作信号が、操作部３から制御部２５に出力され、制御部２５はその操作信号にしたがって自動運転での設定温度又は手動運転での設定火力を設定して運転動作を開始するものである。
【００３３】
又電源オン状態で使用者が運転スイッチ５を押した後、何も操作しなければ、制御部２５は前回の運転情報を保持しているので、それに従って前回の運転が自動運転であれば前回の設定温度で自動運転を開始し、前回の運転が手動運転であれば前回の設定火力で手動運転を開始するものである。
【００３４】
又電源オフ状態がで使用者が運転スイッチ５を押した後、何も操作しなければ、前回の運転情報が不揮発性記憶手段２０に記憶されているので、制御部２５は前回の運転情報を不揮発性記憶手段２０から読み取って、その読み取った前回の運転情報に従って運転を開始するものである。
【００３５】
そして制御部２５は、気化ヒータ１１への通電信号を出力して気化部１０を加熱し、気化部１０が所定の温度に達したのを気化部温度検知手段１２が検知して、気化部温度検知手段１２から気化部温度検知信号が出力されると、制御部２５は燃料ポンプ１３にポンプ駆動信号を出力して気化部１０に灯油等の燃料を供給すると共に、燃焼用ファン１４にファン駆動信号を出力して気化した燃料と燃焼用空気とを混合して、前記燃焼部２に供給するものである。
【００３６】
そして制御部２５は、着火手段１５に着火信号を出力して着火動作を行わせて着火を行い、自動運転の場合は、室温検知手段２１により出力された室温信号による現在の室温と設定温度とを比較して、その温度差によって火力を設定して運転動作を開始し、室温と設定温度との温度差が小さくなるにつれ火力を小さくして、室温検知手段２１により出力された室温信号による現在の室温と設定温度が同じになるように火力を調節して自動運転を行い、又手動運転の場合は、設定された火力で手動運転を行うものである。
【００３７】
この時制御部２５は、新たに操作部３が操作されたり、何か異常が発生してエラー情報が発生する等新たな情報が発生した時、又は新たな情報が発生しなくとも所定時間毎に各種制御情報や運転情報を不揮発性記憶手段２０に出力して、不揮発性記憶手段２０に記憶されている情報を記憶し直しているものである。
【００３８】
次に本発明一実施例の停電が発生した後、停電復旧した時の再運転を説明する。
まず図２は本実施例を説明する燃焼制御装置の停電復旧運転制御のフローチャート図で、まず停電判別部１９が電源部１７に外部商用電源１８から電気が供給されているか検知し、停電が発生したことにより電源部１７に電気が供給されていない状態や、所定の電圧より低い電圧が供給されている状態が所定時間以上継続した時、停電判別部１９は停電が発生したものとして停電信号を出力し（Ｓ１）、停電状態となる。（Ｓ２）
【００３９】
そして停電が復旧し、電源部１７に外部商用電源１８から所定の電圧が供給されている状態が所定時間以上継続した時、停電判別部１９は停電が復旧したものとして停電復旧信号を出力し（Ｓ３）、停電復旧状態となる。（Ｓ４）
【００４０】
停電判別部１９からの停電復旧信号を入力した制御部２５は、不揮発性記憶手段２０に情報出力動作信号を出力し（Ｓ５）、その情報出力動作信号を入力した不揮発性記憶手段２０は、手動運転時における設定火力情報、自動運転時における設定温度情報、異常発生時のエラー情報、室内の温度を検知して室温信号を出力する室温検知手段２１により検知された室温情報等、記憶している停電発生前の各種制御情報や運転情報を、記憶情報信号として制御部２５に出力する。（Ｓ６）
【００４１】
そして制御部２５は、その入力された記憶情報信号により停電発生前の運転が、自動運転だったのか、それとも手動運転だったのかを判断する。（Ｓ７）
【００４２】
そして制御部２５は（Ｓ７）で自動運転だったと判断すると、まず中間の火力の中火力で着火動作を行い（Ｓ８）、そのままの中火力で所定時間運転した後（Ｓ９）、燃焼部２の温度が安定したものとして、次に自動運転における設定温度として、記憶情報信号の設定温度情報により停電発生前の設定温度を設定して（Ｓ１０）、自動運転を開始し（Ｓ１１）、そして（Ｓ１）へと戻るものである。
【００４３】
このように停電復旧した後の再運転で自動運転を開始する時、まず中間の火力の中火力で着火動作を行い、その中火力で所定時間運転した後に自動運転を開始することにより、燃焼部２の温度を安定させ、それにより停電中の間に冷えてしまった燃焼装置１の燃焼部２が、停電復旧後に再運転した時燃焼が不安定になることを防止できるものである。
【００４４】
又記憶情報信号の設定温度情報により停電発生前の設定温度を設定して自動運転を開始する時、現在の室温と停電発生前の設定温度との温度差に基づいて火力を変更するのに、中間の中火力から変更することになるので、火力を大きくする場合でも小さくする場合でも火力の変更する段階を少なくすることができ、火力を素早く短時間で変更する火力に変更することができるものである。
【００４５】
又停電復旧した時の再運転を行うためには、使用者が運転スイッチ５を操作しないと再運転を開始しないような設定の場合でも、使用者が運転スイッチ５を操作した途端、いきなり最大火力の最強火力で再運転を開始することがないので危険がなく、又使用者が突然最強火力運転が開始されたように感じて驚かしてしまうことを防止できるものである。
【００４６】
次に図３のように、制御部２５は（Ｓ７）で不揮発性記憶手段２０からの記憶情報信号により停電発生前の運転が手動運転だったと判断した場合、まず中間の火力の中火力で着火動作を行い（Ｓ１２）、そのままの中火力で所定時間運転した後（Ｓ１３）、燃焼部２の温度が安定したものとして、次に記憶情報信号の設定火力情報により、停電発生前の設定火力が最大火力の最強火力だったか確認する。（Ｓ１４）
【００４７】
そして（Ｓ１４）で、停電発生前の設定火力が最大火力の最強火力だった時は、設定火力を現在の中火力より１段階大きい強火力に変更し（Ｓ１５）、そのままの強火力での運転が所定時間に達したら（Ｓ１６）、設定火力を停電発生前の設定火力であり現在の強火力より１段階大きい最強火力に変更して、その最強火力一定の手動運転を開始し（Ｓ１７）、そして（Ｓ１）へ戻るものである。
【００４８】
又（Ｓ１４）で、停電発生前の設定火力が最大火力の最強火力ではなかった時、制御部２５は停電発生前の設定火力が強火力だったか確認し（Ｓ１８）、停電発生前の設定火力が強火力だった時は、設定火力を現在の中火力から、停電発生前の設定火力で中火力より１段階大きい強火力に変更して、その強火力一定の手動運転を開始し（Ｓ１９）、そして（Ｓ１）へ戻るものである。
【００４９】
又（Ｓ１８）で、停電発生前の設定火力が強火力ではなかった時、制御部２５は停電発生前の設定火力が中火力だったか確認し（Ｓ２０）、停電発生前の設定火力が中火力だった時は、設定火力を現在の中火力のままにして、その中火力一定の手動運転を開始し（Ｓ２１）、そして（Ｓ１）へ戻るものである。
【００５０】
又（Ｓ２０）で、停電発生前の設定火力が中火力ではなかった時、制御部２５は停電発生前の設定火力が中火力より１段階小さい弱火力だったか確認し（Ｓ２２）、停電発生前の設定火力が弱火力だった時は、設定火力を現在の中火力から、停電発生前の設定火力で中火力より１段階小さい弱火力に変更して、その弱火力一定の手動運転を開始し（Ｓ２３）、そして（Ｓ１）へと戻るものである。
【００５１】
又（Ｓ２２）で、停電発生前の設定火力が弱火力ではなかった時、制御部２５は停電発生前の設定火力が弱火力より１段階小さい最弱火力であったと判断して、まず設定火力を現在の中火力から１段階小さい弱火力に変更し（Ｓ２４）、そのまま弱火力での運転が所定時間に達したら（Ｓ２５）、設定火力を停電発生前の設定火力で弱火力より１段階小さい最弱火力に変更して、その最弱火力一定の手動運転を開始し（Ｓ２６）、そして（Ｓ１）へと戻るものである。
【００５２】
このように停電復旧した後の再運転で手動運転を開始する時、まず中間の火力の中火力で着火動作を行い、その中火力で所定時間運転した後に手動運転を開始することにより、燃焼部２の温度を安定させ、それにより停電中の間に冷えてしまった燃焼装置１の燃焼部２が、停電復旧後に再運転した時燃焼が不安定になることを防止できるものである。
【００５３】
又手動運転を開始する時、設定火力を停電発生前の設定火力に変更するのに、中間の中火力から変更することになるので、火力を大きくする場合でも小さくする場合でも火力の変更する段階を少なくすることができ、素早く短時間で停電発生前の設定火力に変更することができるものである。
【００５４】
又停電復旧した後の再運転開始時の着火動作を中火力で行い、その中火力で所定時間運転した後に停電発生前の手動運転を行う時、設定火力を停電発生前の設定火力に変更するのに、中火力から停電発生前の設定火力に変更されるまで、火力の大きさを１段階ずつ変更すると共に、火力の大きさを１段階変更する毎に所定時間運転した後、次の火力の大きさに１段階変更するので、停電発生前の設定火力が中火力より大きい火力、本実施例では強火力や最強火力だった場合、強火力だった場合は着火動作の中火力で所定時間運転した後に変更され、最強火力だった場合は着火動作の中火力で所定時間運転後、更に強火力で所定時間運転した後に変更されるので、再運転を開始した途端、いきなり強火力や最強火力で再運転を開始することがないので危険がなく、又使用者が突然強火力や最強火力運転が開始されたように感じて驚かしてしまうことを防止でき、まただんだんと火力が大きくなることで、使用者に暖房が再開されて、室温が上がっていくのを実感させることができるものである。
【００５５】
又停電発生前の設定火力が中火力より小さい火力、本実施例では弱火力や最弱強火力だった場合、弱火力だった場合は着火動作の中火力で所定時間運転した後に変更され、最弱火力だった場合は着火動作の中火力で所定時間運転後、更に弱火力で所定時間運転した後に変更されるので、再運転を開始した途端、いきなり強火力や最強火力で再運転を開始することがないので危険がなく、又使用者が突然強火力や最強火力運転が開始されたように感じて驚かしてしまうことを防止でき、又停電発生前の設定火力より大きい火力である中火力より再運転が開始されてだんだんと火力が小さくなることで、停電発生による室温低下を補正して室温を上昇させ、停電発生前の設定火力である弱火力や最弱火力一定の手動運転になっても、使用者に暖房不足を感じさせないことができるものである。
【００５６】
又停電復旧した時の再運転を行うためには、使用者が運転スイッチ５を操作しないと再運転を開始しないような設定の場合でも、使用者が運転スイッチ５を操作した途端、いきなり最大火力の最強火力で再運転を開始することがないので危険がなく、又使用者が突然最強火力運転が開始されたように感じて驚かしてしまうことを防止でき、又停電発生前の運転が手動運転で、それにより停電復旧後の再運転を手動運転で行う場合で、特に停電発生前の設定火力が小さい火力の時、停電による温度低下を補正するために設定火力をわざわざ操作して変更する必要が無く、使い勝手をよくすることができるものである。
【００５７】
次に、不揮発性記憶手段２０からの記憶情報信号により停電発生前の運転が手動運転だった場合のその他の一実施例を説明する。
まず制御部２５は、図２の（Ｓ７）で、不揮発性記憶手段２０からの記憶情報信号により停電発生前の運転が手動運転だった場合、図４に示すようにまず中間の火力の中火力で着火動作を行い（Ｓ２７）、そのままの中火力で所定時間運転した後（Ｓ２８）、燃焼部２の温度が安定したものとして、次に各段階の火力で所定時間運転させるその各段階の火力での所定時間を設定する。（Ｓ２９）
【００５８】
そのために制御部２５は、まず記憶情報信号の設定火力情報により、停電発生前の設定火力が最大火力の最強火力だったか確認し（Ｓ３０）、停電発生前の設定火力が最大火力の最強火力だった時は、最大火力の最強火力での所定時間運転の所定時間Ｔ１＝０分、最強火力より１段階小さい火力の強火力での所定時間運転の所定時間Ｔ２＝０分、強火力より１段階小さい火力の中火力での所定時間運転の所定時間Ｔ３＝０分、中火力より１段階小さい火力の弱火力での所定時間運転の所定時間Ｔ４＝０分に設定する。（Ｓ３１）
【００５９】
そして次に設定した各所定時間に基づいて、まず火力を最大火力の最強火力に変更して所定時間Ｔ１運転し、次に火力を最強火力より１段階小さい火力の強火力に変更して所定時間Ｔ２運転し、次に火力を強火力より１段階小さい火力の中火力に変更して所定時間Ｔ３運転し、次に火力を中火力より１段階小さい火力の弱火力に変更して所定時間Ｔ４運転し（Ｓ３２）、その後設定火力を停電発生前の設定火力に変更して、その停電発生前の設定火力一定の手動運転を開始し（Ｓ３３）、そして（Ｓ１）へと戻るものである。
【００６０】
（Ｓ３０）で、停電発生前の設定火力が最大火力の最強火力だった時は、（Ｓ３１）で所定時間Ｔ１からＴ４まで全て０分が設定されているので、そのまま（Ｓ３３）に進んで停電発生前の設定火力を設定して一定の手動運転を開始するので、火力を停電発生前の設定火力である最強火力に変更して、最強火力一定の手動運転を開始し、そして（Ｓ１）へと戻るものである。
【００６１】
又（Ｓ３０）で、停電発生前の設定火力が最大火力の最強火力ではなかった時、次に制御部２５は、まず記憶情報信号の設定火力情報により、停電発生前の設定火力が最強火力より１段階小さい火力の強火力だったか確認し（Ｓ３４）、停電発生前の設定火力が強火力だった時は、最大火力の最強火力での所定時間運転の所定時間Ｔ１＝１０分、最強火力より１段階小さい火力の強火力での所定時間運転の所定時間Ｔ２＝０分、強火力より１段階小さい火力の中火力での所定時間運転の所定時間Ｔ３＝０分、中火力より１段階小さい火力の弱火力での所定時間運転の所定時間Ｔ４＝０分に設定する。（Ｓ３５）
【００６２】
そして（Ｓ３２）に進んで、最大火力の最強火力での所定時間運転の所定時間Ｔ１が１０分に設定されたことにより、まず火力を最強火力に変更して所定時間Ｔ１、つまり１０分間運転し、その後（Ｓ３１）で所定時間Ｔ２からＴ４まで０分が設定されているので、最強火力での所定時間運転Ｔ１が終了した時点で、（Ｓ３３）に進んで、火力を停電発生前の設定火力である強火力に変更して、強火力一定の手動運転を開始し、そして（Ｓ１）へと戻るものである。
【００６３】
又（Ｓ３４）で、停電発生前の設定火力が強火力ではなかった時、次に制御部２５は、まず記憶情報信号の設定火力情報により、停電発生前の設定火力が強火力より１段階小さい火力の中火力だったか確認し（Ｓ３６）、停電発生前の設定火力が中火力だった時は、最大火力の最強火力での所定時間運転の所定時間Ｔ１＝６分、最強火力より１段階小さい火力の強火力での所定時間運転の所定時間Ｔ２＝４分、強火力より１段階小さい火力の中火力での所定時間運転の所定時間Ｔ３＝０分、中火力より１段階小さい火力の弱火力での所定時間運転の所定時間Ｔ４＝０分に設定する。（Ｓ３７）
【００６４】
そして（Ｓ３２）に進んで、最大火力の最強火力での所定時間運転の所定時間Ｔ１が６分に設定されたことにより、まず火力を最強火力に変更して所定時間Ｔ１、つまり６分間運転し、その後次に強火力での所定時間運転の所定時間Ｔ２が４分に設定されたことにより、火力を強火力に変更して所定時間Ｔ２、つまり４分間運転し、その後（Ｓ３１）で所定時間Ｔ３からＴ４まで０分が設定されているので、強火力での所定時間運転Ｔ２が終了した時点で、（Ｓ３３）に進んで、火力を停電発生前の設定火力である中火力に変更して、強火力一定の手動運転を開始し、そして（Ｓ１）へと戻るものである。
【００６５】
又（Ｓ３６）で、停電発生前の設定火力が中火力ではなかった時、次に制御部２５は、まず記憶情報信号の設定火力情報により、停電発生前の設定火力が中火力より１段階小さい火力の弱火力だったか確認し（Ｓ３８）、停電発生前の設定火力が弱火力だった時は、最大火力の最強火力での所定時間運転の所定時間Ｔ１＝４分、最強火力より１段階小さい火力の強火力での所定時間運転の所定時間Ｔ２＝３分、強火力より１段階小さい火力の中火力での所定時間運転の所定時間Ｔ３＝２分、中火力より１段階小さい火力の弱火力での所定時間運転の所定時間Ｔ４＝０分に設定する。（Ｓ３９）
【００６６】
そして（Ｓ３２）に進んで、最大火力の最強火力での所定時間運転の所定時間Ｔ１が４分に設定されたことにより、まず火力を最強火力に変更して所定時間Ｔ１、つまり４分間運転し、その後次に強火力での所定時間運転の所定時間Ｔ２が３分に設定されたことにより、火力を強火力に変更して所定時間Ｔ２、つまり３分間運転し、その後次に中火力での所定時間運転の所定時間Ｔ３が２分に設定されたことにより、火力を中火力に変更して所定時間Ｔ３、つまり２分間運転し、その後（Ｓ３１）で所定時間Ｔ４には０分が設定されているので、中火力での所定時間運転Ｔ３が終了した時点で、（Ｓ３３）に進んで、火力を停電発生前の設定火力である弱火力に変更して、弱火力一定の手動運転を開始し、そして（Ｓ１）へと戻るものである。
【００６７】
又（Ｓ３８）で、停電発生前の設定火力が弱火力ではなかった時、制御部２５は、停電発生前の設定火力が弱火力より１段階小さい火力で最小火力の最弱火力だったと判断し、各段階の火力で所定時間運転させるその各所定時間を、最大火力の最強火力での所定時間運転の所定時間Ｔ１＝３分、最強火力より１段階小さい火力の強火力での所定時間運転の所定時間Ｔ２＝２分、強火力より１段階小さい火力の中火力での所定時間運転の所定時間Ｔ３＝１分、中火力より１段階小さい火力の弱火力での所定時間運転の所定時間Ｔ４＝０．５分に設定する。（Ｓ４０）
【００６８】
そして（Ｓ３２）に進んで、最大火力の最強火力での所定時間運転の所定時間Ｔ１が３分に設定されたことにより、まず火力を最強火力に変更して所定時間Ｔ１、つまり３分間運転し、その後次に強火力での所定時間運転の所定時間Ｔ２が２分に設定されたことにより、火力を強火力に変更して所定時間Ｔ２、つまり２分間運転し、その後次に中火力での所定時間運転の所定時間Ｔ３が１分に設定されたことにより、火力を中火力に変更して所定時間Ｔ３、つまり１分間運転し、その後次に弱火力での所定時間運転の所定時間Ｔ４が０．５分に設定されたことにより、火力を弱火力に変更して所定時間Ｔ４、つまり０．５分間運転し、その弱火力での所定時間運転Ｔ４が終了した時点で、（Ｓ３３）に進んで、火力を停電発生前の設定火力である最小火力の最弱火力に変更して、最弱火力一定の手動運転を開始し、（Ｓ１）へと戻るものである。
【００６９】
このように停電復旧した後の再運転で手動運転を開始する時、まず中間の火力の中火力で着火動作を行い、その中火力で所定時間運転した後に手動運転を開始することにより、燃焼部２の温度を安定させ、それにより停電中の間に冷えてしまった燃焼装置１の燃焼部２が、停電復旧後に再運転した時燃焼が不安定になることを防止できるものである。
【００７０】
又手動運転を開始する時、設定火力を停電発生前の設定火力に変更するのに、中間の中火力から変更することになるので、火力を大きくする場合でも小さくする場合でも火力の変更する段階を少なくすることができ、素早く短時間で停電発生前の設定火力に変更することができるものである。
【００７１】
又停電復旧した後の手動運転による再運転において、停電発生前の設定火力一定の手動運転に入る前に、停電発生前の設定火力より各火力での所定時間運転の所定時間を設定し、最大火力である最強火力から停電発生前の設定火力より一段階大きい火力まで火力を一段階ずつ小さくしながら所定時間運転を行うことにより、所定時間運転の最初の最強火力での所定時間運転で短時間に一気に温度を上げ、次の強火力での所定時間運転により最強火力の所定時間運転よりも温度の上げ幅を小さくするというように、停電発生による室温低下に対して、所定時間運転の最初で室温を大きく上昇させ、その後上げ幅をだんだん小さくして停電発生前の室温に近づけてから、停電発生前の手動運転の設定火力一定の手動運転に入ることができ、それにより停電発生による室温低下を、短時間にしかも快適に違和感なく補正することができるものである。
【００７２】
又停電発生前の設定火力が大きいほど、停電発生前の室内の熱負荷が大きかったと判断して、停電発生前の設定火力が大きいほど大きい火力での所定時間運転の所定時間を長く設定するようにしたので、停電復旧時の室温低下、熱負荷の大きさに合わせて、各火力での所定時間運転を行うことができ、それにより各火力での所定時間運転により室温が上昇しすぎたり、逆に室温の上昇が足りなかったりすることがなく、停電発生による室温低下を、短時間にしかも快適に違和感なく補正することができるものである。
【００７３】
又停電復旧した時の再運転を行うためには、使用者が運転スイッチ５を操作しないと再運転を開始しないような設定の場合でも、使用者が運転スイッチ５を操作した途端、いきなり最大火力の最強火力で再運転を開始することがないので危険がなく、又使用者が突然最強火力運転が開始されたように感じて驚かしてしまうことを防止でき、又停電発生前の運転が手動運転で、それにより停電復旧後の再運転を手動運転で行う場合で、特に停電発生前の設定火力が小さい火力の時、停電による温度低下を補正するために設定火力をわざわざ操作して変更する必要が無く、使い勝手をよくすることができるものである。
【００７４】
【発明の効果】
以上のように、請求項１の燃焼制御装置によれば、室温設定スイッチを操作して室温が設定した設定温度になるように燃焼部の運転を行う自動運転と、設定火力切替スイッチを操作して設定した設定火力一定で燃焼部の運転を行う手動運転とを行い、　停電が発生した時、停電発生前の運転状態や室温等各種情報を不揮発性記憶手段に記憶させて運転を停止し、停電が復旧した時、不揮発性記憶手段に記憶させた各種情報により再運転を行う燃焼制御装置に於いて、停電復旧後の再運転を所定の火力で着火動作してそのまま所定時間運転した後、不揮発性記憶手段に記憶させた各種情報により停電前の運転状態で停電復旧後の再運転を行うものである。
【００７５】
これにより停電復旧した後の再運転を開始する時、まず所定の火力で着火動作を行い、その所定の火力で所定時間運転した後に停電前の運転状態で再運転を開始するので、燃焼部の温度を安定させ、それにより停電中の間に冷えてしまった燃焼装置の燃焼部が停電復旧後に再運転した時、燃焼が不安定になることを防止できるものである。
【００７６】
又記憶情報信号の設定温度情報により停電発生前の運転状態を設定して停電復旧した後の再運転を開始する時、停電発生前の運転状態を設定して再運転を開始したことにより燃焼部の火力を変更する際、所定の火力から変更することになるので、火力を大きくする場合でも小さくする場合でも火力の変更する段階を少なくすることができ、火力を素早く短時間で変更する火力に変更することができるものである。
【００７７】
又停電復旧した時の再運転を行うためには、使用者が運転スイッチを操作しないと再運転を開始しないような設定の場合でも、使用者が運転スイッチを操作した途端、いきなり最大火力の最強火力で再運転を開始することがないので危険がなく、又使用者が突然最強火力運転が開始されたように感じて驚かしてしまうことを防止できるものである。
【００７８】
又前記構成による請求項２記載の燃焼制御装置によれば、請求項１に於いて、停電復旧後の再運転で、中間の火力で着火動作してそのまま所定時間運転後に再運転を行う時、着火動作した時の中間の火力から火力を変更するのに、中間の火力から変更する火力まで火力の大きさ１段階毎に所定時間運転するものである。
【００７９】
これにより、停電復旧後の再運転で、中間の火力で着火動作してそのまま所定時間運転後に、中火力より大きい火力に変更する場合、だんだんと火力が大きくなることで、使用者に暖房が再開されて、室温が上がっていくのを実感させることができるものであり、又中火力より小さい火力に変更する場合、だんだんと火力が小さくなることで、停電発生による室温低下を補正して室温を上昇させ、停電発生前の設定火力である弱火力や最弱火力一定の手動運転になっても、使用者に暖房不足を感じさせないことができるものである。
【００８０】
又前記構成による請求項３記載の燃焼制御装置によれば、停電復旧後の再運転で手動運転を行う時、火力を停電前の設定火力より大きい火力に変更し、その火力から停電前の設定火力まで火力の大きさ１段階毎に所定時間運転するものである。
【００８１】
これにより、停電復旧した後の手動運転による再運転において、停電発生前の設定火力一定の手動運転に入る前に行う所定時間運転の最初の最強火力での所定時間運転で、短時間に一気に温度を上げ、次の強火力での所定時間運転により最強火力の所定時間運転よりも温度の上げ幅を小さくするというように、停電発生による室温低下に対して、所定時間運転の最初で室温を大きく上昇させ、その後上げ幅をだんだん小さくして停電発生前の室温に近づけてから、停電発生前の手動運転の設定火力一定の手動運転に入ることができ、それにより停電発生による室温低下を、短時間にしかも快適に違和感なく補正することができるものである。
【００８２】
又停電発生前の設定火力が大きいほど、停電発生前の室内の熱負荷が大きかったと判断して、停電発生前の設定火力が大きいほど大きい火力での所定時間運転の所定時間を長く設定するようにしたので、停電復旧時の室温低下、熱負荷の大きさに合わせて、各火力での所定時間運転を行うことができ、それにより各火力での所定時間運転により室温が上昇しすぎたり、逆に室温の上昇が足りなかったりすることがなく、停電発生による室温低下を、短時間にしかも快適に違和感なく補正することができるものである。
【図面の簡単な説明】
【図１】本発明一実施形態を付した燃焼制御装置の構成図。
【図２】同停電発生から停電復旧後の再運転を自動運転で行う場合のフローチャート図。
【図３】同停電発生から停電復旧後の再運転を手動運転で行う場合のフローチャート図。
【図４】同停電発生から停電復旧後の再運転を手動運転で行う場合のその他の実施例のフローチャート図。
【符号の説明】
２　燃焼部
６　自動・手動運転切替スイッチ
７　設定火力切替スイッチ
８　室温設定スイッチ
１９　停電判別部
２０　不揮発性記憶手段
２５　制御部
【図１】
2004020023.tif 000003
【図２】
2004020023.tif 000004
【図３】
2004020023.tif 000005
【図４】
2004020023.tif 000006